(57)【要約】【課題】電装機器を効率よく冷却することが可能な真空ポンプを提供する。【解決手段】ポンプ本体１１と、ポンプ本体１１の外側に配置された電装ケース３１とを備え、電装ケース３１は、内部に冷却媒体流路３８ａが形成された冷却ジャケット３６と、回路部品６２を備え冷却ジャケット３６による冷却が可能な電源回路部３３と、を有し、冷却ジャケット３６には電源回路部３３が熱移動可能に取り付けられ、冷却ジャケット３６は、ジャケット本体３７と、ジャケット本体３７内に冷却水を循環させるための冷却管３８と、を備え、冷却管３８を電源回路部３３の側に向けて部分的に露出させている。【選択図】図１
2019143486.tif 000002
【特許請求の範囲】
【請求項１】
ポンプ本体と、前記ポンプ本体の外側に配置された制御装置とを備え、
前記制御装置は、
内部に冷却媒体流路が形成された冷却部と、
発熱部品を備え前記冷却部による冷却が可能な電装部品部と、を有し、
前記冷却部には前記電装部品部が熱移動可能に取り付けられ、
前記電装部品部には、前記発熱部品が実装され前記冷却部に固定された回路基板と、前記回路基板及び前記発熱部品を少なくとも部分的に覆うモールド部と、が設けられ、
前記モールド部を介した前記冷却部の側へ熱移動が可能であることを特徴とする真空ポンプ。
【請求項２】
前記回路基板には、前記回路基板を貫通し前記モールド部が入り込む貫通部が形成され、
前記モールド部及び前記貫通部を介した前記冷却部の側へ熱移動が可能であることを特徴とする請求項１記載の真空ポンプ。
【請求項３】
前記冷却部が、前記回路基板の、前記発熱部品が実装された側に対して逆側の位置で、前記貫通部に入り込んだ前記モールド部に面していることを特徴とする請求項２に記載の真空ポンプ。
【請求項４】
前記冷却部は、
前記冷却媒体流路を前記電装部品部の側に向けて部分的に露出させていることを特徴とする請求項１から請求項３のいずれか１項記載の真空ポンプ。
【請求項５】
内部に冷却媒体流路が形成された冷却部と、
発熱部品を備え前記冷却部による冷却が可能な電装部品部と、を有し、
前記冷却部には前記電装部品部が熱移動可能に取り付けられ、
前記電装部品部には、前記発熱部品が実装され前記冷却部に固定された回路基板と、前記回路基板及び前記発熱部品を少なくとも部分的に覆うモールド部と、が設けられ、
前記モールド部を介した前記冷却部の側へ熱移動が可能であることを特徴とする真空ポンプの制御装置。
【発明の詳細な説明】
【技術分野】
【０００１】
本発明は、例えばターボ分子ポンプ等の真空ポンプと真空ポンプの制御装置に関する。
【背景技術】
【０００２】
従来、後掲の特許文献１に開示されているようなターボ分子ポンプ装置が知られている。特許文献１のターボ分子ポンプ装置においては、段落００１０、図１、図２等に記載されているように冷却装置（１３）が設けられている。冷却装置（１３）は、ポンプ本体（１１）と電源装置（１４）との間に、軸方向に並べて介装され、電源装置（１４）内におけるモータ駆動回路の電子部品を主に冷却する。そして、この冷却装置（１３）は、内部に冷却水通路が形成されたジャケット本体（１３ａ）と、送水用のポンプにより冷却水通路に冷却水を循環させるための冷却水入口（１３ｂ）および冷却水出口（１３ｃ）とを有している。
【先行技術文献】
【特許文献】
【０００３】
【特許文献１】国際公開第２０１１／１１１２０９号公報
【発明の概要】
【発明が解決しようとする課題】
【０００４】
ところで、ターボ分子ポンプ等の真空ポンプにおいては、接続される真空機器の周辺スペースの事情などによって、小型化が必要となる場合がある。そして、モータ駆動回路や制御回路等の電装機器の小型化も必要となる場合があり、このような場合には、電装機器の実装密度が高まり、電装機器が温度上昇し易くなる。また、真空ポンプの高性能化によっても電装機器の実装密度が高まり、電装機器が温度上昇し易くなる。このため、例えば特許文献１に開示されたような冷却装置を用いる場合であっても、できるだけ効率良く冷却することが求められる。そして、効率の良い冷却により、電装機器の寿命を延ばすことが可能となる。
【０００５】
また、冷却効果を高めるため、特許文献１に示されているような水冷に代え、例えば冷却ファンを用いた空冷を行うことも考えられる。しかし、冷却ファンを備えることで、その分真空ポンプの外形寸法が大となり、小型化が困難になる。また、冷却ファンを使用すると、発生した気流がクリーンルーム内で塵埃を舞い上がらせてしまい、清浄な環境を保ち難くなる場合がある。さらに、冷却ファンを使用した場合に、舞い上がる塵埃の排除のためエアコン（空気調和機）による排気を強化すると、総合的なエネルギ消費量がその分増えてしまう。これらのことから、ターボ分子ポンプ等の真空ポンプでは、効率の良い冷却のために空冷を採用することが難しく、水冷を採用することが望ましい。
【０００６】
本発明はこのような課題を解決するためになされたものであり、その目的とするところは、電装機器を効率よく冷却することが可能な真空ポンプと真空ポンプの制御装置を提供することにある。
【課題を解決するための手段】
【０００７】
上記目的を達成するために本発明は、ポンプ本体と、前記ポンプ本体の外側に配置された制御装置とを備え、
前記制御装置は、
内部に冷却媒体流路が形成された冷却部と、
発熱部品を備え前記冷却部による冷却が可能な電装部品部と、を有し、
前記冷却部には前記電装部品部が熱移動可能に取り付けられ、
前記電装部品部には、前記発熱部品が実装され前記冷却部に固定された回路基板と、前記回路基板及び前記発熱部品を少なくとも部分的に覆うモールド部と、が設けられ、
前記モールド部を介した前記冷却部の側へ熱移動が可能であることを特徴とする真空ポンプ。
【０００８】
また、上記目的を達成するために他の本発明は、前記回路基板には、前記回路基板を貫通し前記モールド部が入り込む貫通部が形成され、
前記モールド部及び前記貫通部を介した前記冷却部の側へ熱移動が可能であることを特徴とする真空ポンプにある。
【０００９】
また、上記目的を達成するために他の発明は、前記冷却部が、前記回路基板の、前記発熱部品が実装された側に対して逆側の位置で、前記貫通部に入り込んだ前記モールド部に面していることを特徴とする真空ポンプにある。
【００１０】
また、上記目的を達成するために他の発明は、前記冷却部は、
前記冷却媒体流路を前記電装部品部の側に向けて部分的に露出させていることを特徴とする真空ポンプにある。
【００１１】
また、上記目的を達成するために他の発明は、内部に冷却媒体流路が形成された冷却部と、
発熱部品を備え前記冷却部による冷却が可能な電装部品部と、を有し、
前記冷却部には前記電装部品部が熱移動可能に取り付けられ、
前記電装部品部には、前記発熱部品が実装され前記冷却部に固定された回路基板と、前記回路基板及び前記発熱部品を少なくとも部分的に覆うモールド部と、が設けられ、
前記モールド部を介した前記冷却部の側へ熱移動が可能であることを特徴とする真空ポンプの制御装置にある。
【発明の効果】
【００１２】
上記発明によれば、電装機器を効率よく冷却することが可能な真空ポンプと真空ポンプの制御装置を提供することができる。
【図面の簡単な説明】
【００１３】
【図１】（ａ）は本発明の一実施形態に係るターボ分子ポンプを概略的に示す断面図、（ｂ）電装ボックスを拡大して示す断面図、（ｃ）は冷却ジャケットの鉛直部と冷却管との位置関係を示す説明図である。
【図２】（ａ）は冷却ジャケットや電源回路部を概略的に示す斜視図、（ｂ）は電源回路部の回路基板を概略的に示す正面図である。
【発明を実施するための形態】
【００１４】
以下、本発明の一実施形態に係る真空ポンプについて、図面に基づき説明する。図１（ａ）は真空ポンプとしてのターボ分子ポンプ１０を縦断し、一部を省略して概略的に示している。このターボ分子ポンプ１０は、例えば、半導体製造装置、電子顕微鏡、質量分析装置などといった対象機器の真空チャンバ（図示略）に接続されるようになっている。
【００１５】
ターボ分子ポンプ１０は、円筒状のポンプ本体１１と、電装機器収容部（制御装置）としての箱状の電装ケース３１とを一体に備えている。これらのうちのポンプ本体１１は、図中の上側が対象機器の側に繋がる吸気部１２となっており、下側が補助ポンプ等に繋がる排気部１３となっている。そして、ターボ分子ポンプ１０は、図１（ａ）に示すような鉛直方向の垂直姿勢のほか、倒立姿勢や水平姿勢、傾斜姿勢でも用いることが可能となっている。
【００１６】
電装ケース３１は、ポンプ本体１１の側部である外周面に、径方向に突出するよう取り付けられている。このため、本実施形態のターボ分子ポンプ１０は、例えば前述の特許文献１に開示されたタイプのもののように、ポンプ本体と電装機器（電装部品）を軸方向（ガスの移送方向）に並べて配置した場合と比べて軸方向のコンパクト化が図られている。そして、本実施形態のターボ分子ポンプ１０は、軸方向の空間が比較的狭隘であっても、設置が可能である。
【００１７】
ポンプ本体１１は、段付きな円筒状の本体ケーシング１４を備えている。本実施形態においては、本体ケーシング１４の直径は３５０ｍｍ程度であり、高さは４００ｍｍ程度となっている。本体ケーシング１４内には、排気機構部１５と回転駆動部１６とが設けられている。これらのうち排気機構部１５は、ターボ分子ポンプ機構部１７とネジ溝ポンプ機構部１８とにより構成された複合型のものとなっている。
【００１８】
ターボ分子ポンプ機構部１７とネジ溝ポンプ機構部１８は、ポンプ本体１１の軸方向に連続するよう配置されており、図１（ａ）においては、図中の上側にターボ分子ポンプ機構部１７が配置され、図中の下側にネジ溝ポンプ機構部１８が配置されている。ターボ分子ポンプ機構部１７やネジ溝ポンプ機構部１８の基本構造としては、一般的なものを採用可能であるが、以下に基本構造について概略的に説明する。
【００１９】
図１（ａ）中の上側に配置されたターボ分子ポンプ機構部１７は、多数のタービンブレードによりガスの移送を行うものであり、所定の傾斜や曲面を有し放射状に形成された固定翼部１９と回転翼部２０とを備えている。ここで、ターボ分子ポンプ機構部１７において、固定翼（ステータ翼）と回転翼（ロータ翼）は十数段に亘って交互に並ぶよう配置されているが、図面が煩雑になるのを避けるため、固定翼と回転翼についての符号の記載は省略している。また、図１（ａ）では、同様に図面が煩雑になるのを避けるため、ポンプ本体１１における部品の断面を示すハッチングの記載も省略している。
【００２０】
固定翼部１９は、本体ケーシング１４に一体的に設けられており、固定翼部１９に備えられた上下の固定翼の間に、回転翼部２０に設けられた回転翼が入り込んでいる。回転翼部２０は、図１（ａ）中に上端部の輪郭のみを概略的に示す回転軸（ロータシャフト）２１に一体化されている。
【００２１】
この回転軸２１は、下側のネジ溝ポンプ機構部１８を通過して、同様に輪郭のみを概略的に示す前述の回転駆動部１６に連結されている。ネジ溝ポンプ機構部１８は、ロータ円筒部２３とネジステータ２４を備えており、ロータ円筒部２３とネジステータ２４の間に所定の隙間であるネジ溝部２５を形成している。ロータ円筒部２３は、回転軸２１に連結されており、回転軸２１と一体に回転できるようになっている。ネジ溝ポンプ機構部１８の後段には排気パイプに接続する為の排気口２６が配置されており、排気口２６の内部とネジ溝部２５が空間的に繋がっている。
【００２２】
回転駆動部１６はモータであり、図示は省略するが、回転軸２１の外周に形成された回転子と、回転子を取り囲むように配置された固定子とを有している。この回転駆動部１６を作動させるための電力の供給は、前述の電装ケース３１に収容された電源機器や制御機器により行われるようになっている。
【００２３】
回転軸２１の支持には、図示は省略するが、磁気浮上による非接触式の軸受（磁気軸受）が用いられている。このため、ポンプ本体１１においては、高速回転を行うにあたって摩耗がなく、寿命が長く、且つ、潤滑油を不要とした環境が実現されている。なお、磁気軸受として、ラジアル磁気軸受とスラスト軸受を組み合せたものを採用できる。さらに、磁気軸受に、万一の場合の損傷を防ぐタッチダウン軸受を組み合せて用いることも可能である。
【００２４】
回転駆動部１６が駆動されると、回転軸２１と一体となったターボ分子ポンプ機構部１７の回転翼部２０およびロータ円筒部２３が回転する。回転翼部２０の回転に伴い、図１（ａ）中の上側に示す吸気部１２からガスが吸引され、固定翼部１９の固定翼と回転翼部２０の回転翼とに気体分子を衝突させながら、ネジ溝ポンプ機構部１８の側へガスの移送が行われる。ネジ溝ポンプ機構部１８では、ターボ分子ポンプ機構部１７から移送されたガスを、ロータ円筒部２３とネジステータ２４との隙間に導入し、ネジ溝部２５内で圧縮する。ネジ溝部２５内で圧縮されたガスは、排気部１３から排気口２６へ進入し、排気口２６を介してポンプ本体１１から排出される。
【００２５】
次に、前述の電装ケース３１について説明する。電装ケース３１は、図１（ｂ）に示すように、直方体状のボックスケーシング３２内に電装機器部（電装部品部）としての電源回路部３３と、同じく電装機器部としての制御回路部３４を収納している。ボックスケーシング３２は、断面がＬ字型の板金製のケーシングパネル３５や、同じく断面がＬ字型の冷却部としての冷却ジャケット３６などを組み合わせ、互いに結合することにより構成されている。なお、図１（ａ）では、ケーシングパネル３５の両端部（紙面を貫く方向の両端部）を閉じる端部閉塞パネルを取り外して、電装ケース３１の内部が見えるようにしている。端部閉塞パネルとしては、例えば２つ（２枚）の矩形状のパネル部材を用いることなどが可能である。
【００２６】
冷却ジャケット３６は、ジャケット本体３７と冷却管３８を備えている。これらのうちジャケット本体３７は、略水平に向けられた水平部３９と、略鉛直に向けられた鉛直部４０とを一体に有する鋳造物である。冷却ジャケット３６の素材（鋳込み材）としては、アルミ等を採用することが可能である。水平部３９は、鉛直部４０と繋がった基端側をポンプ本体１１の外側（ポンプ本体１１から離れる側）に向け、先端側をポンプ本体１１の側に向けている。
【００２７】
さらに、水平部３９の先端側は、図２（ａ）に示すようにポンプ本体１１の外径に合わせ円弧状に切り欠かれており、円弧状の先端部４１に沿って、六角穴付きボルト４２（図１（ａ）に１つのみ図示する）を通過させるための複数の貫通孔４３が設けられている。そして、水平部３９の先端側は、図１（ａ）に示すように、本体ケーシング１４の下面４４に重なる様に配置され、複数の六角穴付きボルト４２により、ポンプ本体１１の下部フランジ４５に下方からボルト止めされている。
【００２８】
図２（ａ）に示すように、鉛直部４０は、ポンプ本体１１の側を向いた冷却面としての内側面４６と、外側を向いた同じく冷却面としての外側面４７を有している。これらのうちの内側面４６には、前述の電源回路部３３と制御回路部３４が、電源回路部３３を下にして上下に配置されている。電源回路部３３と制御回路部３４は、鉛直部４０に対して熱の移動が可能な状態で、ボルト締め等の手段により固定されている。
しかし、電源回路部３３と制御回路部３４の配置はこれに限定されず、制御回路部３４を下にして上下に配置してもよい。
【００２９】
ここで、図１（ａ）、（ｂ）では、電源回路部３３と制御回路部３４は、概略的に二点鎖線により囲って示されている。また、電源回路部３３は、図１（ｂ）や図２（ａ）に示すようにモールド部としてのモールド樹脂７４により封止されている。そして、図１（ｂ）では、モールド樹脂７４の範囲が明確になるよう、二点鎖線のハッチングを付してモールド樹脂７４を記載しているが、電源回路部３３やモールド樹脂７４の具体的構成については後述する。
【００３０】
図２（ａ）に示すように、冷却ジャケット３６の鉛直部４０には、前述の冷却管３８が挿入（インサート鋳造）されている。冷却管３８は、電装ケース３１の内部を冷却するためのものであり、外部から供給された冷却水(冷却媒体、冷媒)が内部の冷却媒体流路３８ａを通って循環するようになっている。冷却管３８の直径は例えば数ｍｍ程度であり、この冷却管３８材質としては、ステンレス鋼（ＳＵＳ）や銅などを採用することが可能である。
【００３１】
冷却管３８は、鉛直部４０の内部において、破線で示すようにコの字型に曲がっており、互いに略水平且つ平行に伸びる平行部５０と、平行部５０を接続する鉛直な接続部５１を有している。そして、冷却管３８の両端部５２、５３は、鉛直部４０の端面５４から僅かに数ｍｍ程度突出している。
【００３２】
ここで、本実施形態においては、冷却管３８の両端部５２、５３のうち、図２（ａ）中の下側（水平部３９の側）の端部５３が冷却水（冷却媒体、冷媒）の入口となっており、上側の端部５２が冷却水の出口となっている。しかし、冷却水の流通方向はこれに限定されず、上側の端部５２を入口とし、下側の端部５３を出口としてもよい。また、図示は省略するが、冷却管３８の両端部５２、５３に管用の継手を接続し、この継手を介して冷却水の循環経路に接続することが可能である。
【００３３】
さらに、冷却管３８は、鉛直部４０の内側面４６から一部を露出させており、冷却管３８の周方向の一部は、内側面４６から突出した露出部５５となっている。そして、露出部５５は、内側面４６に固定された電源回路部３３の背後に位置し、モールド樹脂７４に接して、電源回路部３３に対して離間している。ここで、本実施形態においては、図２（ａ）中の上側の平行部５０や接続部５１のみが露出部５５を構成するようになっている。しかし、これに限らず、冷却管３８の長さ方向の略全長で露出部５５を構成することも可能である。
冷却部は、一般的には冷却管３８に流す冷却水により冷却されるが、冷却媒体（冷媒）は冷却水に限定されず、水以外の流体や冷却ガス等の他の冷媒であっても構わない。
【００３４】
また、本実施形態では、露出部５５や、鉛直部４０の内側面４６がモールド樹脂７４に接触するようにしているが、これに限定されず、例えば、鉛直部４０の内側面４６とモールド樹脂７４との間に、部分的に或いは全体的に、所定の間隔の隙間（空間）を介在させることも可能である。
【００３５】
図１（ｃ）は、冷却管３８と鉛直部４０の位置関係を示している。図中において、冷却管３８の軸心Ｃ１と、鉛直部４０の厚み方向の中心線Ｃ２は互いに水平方向に離れており、冷却管３８は鉛直部４０に対して偏心している。そして、冷却管３８の大部分は、インサート鋳造により鉛直部４０の素材（ここでは鋳込み材であるアルミ）に隙間なく密に接しながら、鉛直部４０により覆われている。ここで、露出部５５を形成するために、ジャケット本体３７の鋳造時に冷却管３８を、上述のように軸心Ｃ１が鉛直部４０の厚み方向の中心線Ｃ２に対して偏心するよう配置した後に鋳込みを行うことが可能である。
【００３６】
また、これに限定されず、ジャケット本体３７の鋳造時に、冷却管３８を全周に亘り鉛直部４０内に収まるよう配置して鋳込みを行った後に、露出部５５が現れるよう、内側面４６を切削加工してもよい。ただし、鉛直部４０の厚みが相対的に薄く、冷却管３８と外側面４７の側の肉厚が十分でない場合には、切削加工時に鉛直部４０に作用する負荷により、冷却管３８が鉛直部４０から分離し易くなることも考えられる。そして、このような場合には、切削加工の際における負荷のかけ具合の調整が難しくなることが想定される。このため、鋳造時に、図１（ｃ）に示すように、冷却管３８を鉛直部４０に対して偏心させた状態でインサート鋳造を行うのが望ましい。
【００３７】
続いて、前述の電源回路部３３について、図２（ａ）、（ｂ）に基づき説明する。図２（ａ）は、前述のモールド樹脂７４が形成された状態を示しており、図２（ｂ）は、モールド樹脂７４が形成される前の状態を示している。図２（ｂ）に示すように、電源回路部３３は回路基板６１を備えており、回路基板６１にはポンプ本体１１を駆動するための回路部品（電気部品や電子部品）６２が実装されている。回路基板６１としては、一般的なエポキシ基板等を採用することが可能である。回路基板６１の鉛直部４０への固定は、例えば回路基板６１の４隅におけるボルト止めにより行われている。
【００３８】
また、回路部品６２としては、例えば、トランス、コイル、コンデンサ、フィルタ、ダイオード、ＦＥＴ（電界効果トランジスタ）等のようなものを挙げることができる。図２（ａ）、（ｂ）は、図１（ａ）、（ｂ）に比べて回路部品６２の（図示略）を詳細に行っているものである。これらの回路部品６２は、その特性に応じて発熱部品となる。回路部品６２が発した熱は、回路基板６１やその周囲に移動し、周囲の温度を上昇させる。そして、回路基板６１に生じた熱の一部は、鉛直部４０との結合に用いられたボルト（図示略）や、後述するモールド樹脂７４を介して、冷却ジャケット３６の側へ移動する。
【００３９】
ここで、回路基板６１における各種の回路部品６２の実装にあたっては、その高さも考慮して回路部品６２の向き（「姿勢」ともいえる）が決められている。つまり、前述のように回路基板６１の背面側（ここでは非実装側）に冷却ジャケット３６が位置しているが、回路基板６１の実装側において回路部品６２の高さが高くなるほど、冷却ジャケット３６からの距離が遠くなる。そして、高さが大きい（所謂背の高い）回路部品６２を起立状態で実装すると、熱伝導や熱伝達による冷却ジャケット３６への熱の移動が生じ難く、電源回路部３３の冷却がされ難くなる。
【００４０】
このため、本実施形態では、必要な面積が確保できる部位については、回路部品６２を回路基板６１に寝かせた状態で搭載している。このように回路部品６２を寝かせた状態は、回路基板６１からの高さを低くできる状態であり、「倒伏状態」などと称することもできる。そして、回路部品６２を寝かせて、回路部品６２のより多くの部分が冷却ジャケット３６に近付くようにすることで、回路部品６２の冷却を効率よく行うことが可能である。
【００４１】
さらに、回路基板６１には、金属製の板金部材７１が複数実装されている。板金部材７１の固定は、板金部材７１を支持するための部材を回路基板６１上に設けたり、板金部材７１にビス留め用のリブを設けたりすることにより行うことが可能である。板金部材７１の材質としては、例えばアルミなどが用いられている。
【００４２】
板金部材７１には平板状のものやＬ字状のものなどがあり、回路基板６１から略垂直に立ち上がるように（起立姿勢となるように）、回路基板６１に固定されている。そして、板金部材７１は、その厚み方向を、回路基板６１の実装面が伸びる方向（回路基板６１の厚さ方向と直交する方向）に向けている。このような向きで板金部材７１を実装することで、回路基板６１の実装面において板金部材７１が占有する面積を最小化することができる。
【００４３】
さらに、板金部材７１は、回路部品６２の実装に利用可能なものとなっている。そして、板金部材７１の板面には、各種の回路部品６２のうち、ダイオードやその他の半導体素子のように温度上昇し易いものが固定されている。ここで、板金部材７１に固定された半導体素子のリード部（図示略）を、回路基板６１の配線に接続することで、半導体素子の導通を確保することが可能である。このように板金部材７１の板面上に回路部品６２を備えることで、回路基板６１において回路部品６２の実装が可能な面積を拡大することができる。
【００４４】
また、回路基板６１には、図２（ｂ）に示すように、長孔状に形成された複数の貫通部としてのスリット７２が形成されている。これらのスリット７２は、回路基板６１の所定位置に形成され、回路基板６１を貫通している。本実施形態においてスリット７２は、一部の板金部材７１や所定の回路部品６２から所定程度（例えば１ｍｍ〜数ｍｍ程度）しか離れていない部位に形成されている。
【００４５】
そして、スリット７２を介して回路基板６１の実装面側と、非実装側である背面側とが空間的に繋がっており、回路基板６１の実装面側と背面側とで、スリット７２を通過する熱の移動が可能となっている。なお、スリット７２の開口面積が大きいほど熱が移動し易くなる。また、本実施形態では、回路基板６１を貫通する孔を長孔状のスリット７２としているが、これに限られるものではなく、例えば長方形、正方形、円形、三角形、菱形、台形などのように種々の形状とすることが可能である。さらに、回路基板６１を貫通する孔の配置も、回路部品６２（ここでは板金部材７１を含む）の近傍に限らず、例えば真下の位置や、交差する位置などとすることが可能である。
【００４６】
また、回路基板６１は、前述したようにモールド樹脂７４により封止されている。このモールド樹脂７４は、図２（ａ）に示すように直方体状に成形されており、回路基板６１の回路部品６２（ここでは板金部材７１を含む）に密に隙間が生じないように接触している。さらに、モールド樹脂７４は、回路基板６１の実装面を基準として所定の高さまで領域を覆っており、モールド樹脂７４からは、相対的に高さの高い電子部品の上端部分のみが突出している状態となる。本実施形態では、モールド樹脂７４としてエポキシ樹脂が用いられているが、これに限らず、例えばシリコンなどのような樹脂を用いてもよい。
【００４７】
モールド樹脂７４は、回路基板６１に係る絶縁性を高める機能、防滴の機能、防水の機能などを発揮するようになっている。また、モールド樹脂７４は、各種の回路部品６２や回路基板６１に接するとともに、前述のスリット７２に入り込むことで、電源回路部３３を冷却する機能を有している。つまり、モールド樹脂７４は、各種の回路部品６２や回路基板６１の熱を奪うとともに、奪った熱の一部を、スリット７２を介して回路基板６１の背面側へ移動させる。
【００４８】
また、本実施形態では、回路基板６１と、冷却ジャケット３６の鉛直部４０や、冷却管３８の露出部５５との間に隙間が生じないよう充填されている。このため、回路基板６１の背面側に達した熱を、更にモールド樹脂７４を介して冷却ジャケット３６の側へ移動することが可能である。ここで、十分な冷却を行えれば、回路基板６１と冷却ジャケット３６との間に、モールド樹脂７４が満たされていない空間を形成し、冷却ジャケット３６に面した空間を介して熱を移動させるようにすることも可能である。
【００４９】
続いて、前述の制御回路部３４について説明する。制御回路部３４は、ポンプ本体１１内に設けられたモータ等の機構の制御を行うためのものである。この制御回路部３４は、図１（ｂ）や図２（ａ）に示すように、冷却ジャケット３６における鉛直部４０の内側面４６において、電源回路部３３の上方の部位に配置されている。ここで、図２（ａ）では、制御回路部３４は、二点鎖線の直方体によって概略的に示されている。
【００５０】
さらに、本実施形態の制御回路部３４は、二段の積層構造を有しており、冷却ジャケット３６にボルト止めされる金属基板（ここでアルミ基板）８６と、金属基板８６上に導通可能に接続された樹脂基板（ガラスエポキシ基板など）８７とを備えている。そして、図示は省略するが、例えば樹脂基板８７には、回路部品６２のほかに、各種の標準規格に従ったコネクタなども実装されている。
【００５１】
本実施形態では、制御回路部３４の発熱が電源回路部３３に比べて少ないため、制御回路部３４については電源回路部３３のような樹脂封止は行われていない。しかし、必要に応じ、制御回路部３４を、コネクの接続端を除いて樹脂封止するようにしてもよい。
【００５２】
制御回路部３４で発生した熱は、鉛直部４０の外側面４７に結合された金属基板８６からの移動のほか、鉛直部４０に直接接触していない部分（樹脂基板８７など）からも、金属基板８６を経て鉛直部４０へ移動する。
【００５３】
以上説明したような本実施形態のターボ分子ポンプ１０によれば、冷却ジャケット３６における冷却管３８を、露出部５５が鉛直部４０から露出するよう設けている。このため、露出部５５の外側の空間や、露出部５５に接した部位を直接的に冷却することが可能である。また、鉛直部４０に係る内側面４６の側の冷却を効率良く行うことができる。
【００５４】
したがって、冷却ファンを用いることなく、効率の良い冷却を行うことが可能である。また、冷却ファンを用いていないことから、ターボ分子ポンプ１０を小型化することができる。さらに、電装ケース３１の温度上昇を抑制でき、ターボ分子ポンプ１０の製品寿命を長期化することができる。また、効率良く冷却できることから、ターボ分子ポンプ１０の前段で、冷却水の温度をあまり下げておかなくてよい。
【００５５】
また、突出する露出部５５を形成しているので、冷却管３８を全周に亘り鉛直部４０の素材（鋳込み材）により覆った場合と比べて、より直接的な冷却を行うことが可能である。さらに、鉛直部４０の内側面４６を冷却管３８の軸心Ｃ１に近付けることができるため、内側面４６の温度を低下させ易い。また、鉛直部４０の厚みを小さくすることができ、冷却ジャケット３６の省スペース化や軽量化が可能である。さらに、冷却ジャケット３６の製造の際に、鋳込み材の使用量を減らすことができ、その分の製造コストを下げることが可能となる。
【００５６】
また、鋳造により冷却管３８を冷却ジャケット３６に組み込んでいるので、低コストで冷却管３８の外周面とジャケット本体３７とを密着させることができる。つまり、例えばジャケット本体３７をアルミ素材の削り出し加工により作製し、作製したジャケット本体３７に冷却管３８を後から固定するような場合には、ジャケット本体３７と冷却管３８の間に隙間が生じ易く、熱抵抗が高くなる。そして、効率の良い冷却を行うには、ジャケット本体３７と冷却管３８の間の隙間を埋めるために、熱伝導率の高い材質からなるシート等を介在させなければならず、その分コストが上昇する。しかし、本実施形態のように鋳造により冷却管３８の組み込みを行うことにより、低コストで、冷却管３８の外周面とジャケット本体３７とを密着させることができる。
【００５７】
また、本実施形態のターボ分子ポンプ１０によれば、モールド樹脂７４により電源回路部３３の封止を行っているので、モールド樹脂７４を介した熱の移動が可能である。さらに、回路基板６１に貫通するスリット７２が設けられ、回路基板６１の実装面側と背面側（ここでは非実装側）とがスリット７２を介して繋がっていることから、スリット７２を介して、回路基板６１の背面側への放熱を行うことができる。そして、回路基板６１の背面側は、冷却ジャケット３６の鉛直部４０に面していることから、回路基板６１の実装面側で発生した熱を、モールド樹脂７４やスリット７２を介して冷却ジャケット３６の側へ移動させることができる。
【００５８】
また、本実施形態では、回路基板６１と冷却ジャケット３６の間にモールド樹脂７４を充填しているので、回路基板６１と冷却ジャケット３６の間の熱の移動を、モールド樹脂７４を介して行うことができる。このため、回路基板６１から冷却ジャケット３６までの間に空間を介在させた場合に比べて、熱を移動させ易い。
【００５９】
なお、このようなモールド樹脂７４やスリット７２等を用いた冷却は、冷却ジャケット３６による水冷の効果をより高めるものであるということができる。また、本実施形態のような冷却は、モールド樹脂７４やスリット７２による熱の移動と、冷却ジャケット３６による冷却とを複合させた冷却手法であるということもできる。さらに、本実施形態のような冷却は、電装ケース３１内の空間も冷却ジャケット３６により冷却されることから、空冷と水冷を複合させた冷却手法であるということもできる。
【００６０】
また、本発明は、これまでに説明した態様以外にも種々に変形することが可能なものである。例えば、上述の実施形態ではスリット７２を回路基板６１に設けたが、スリット７２などの貫通部を板金部材７１に設け、モールド樹脂７４を入り込ませ、板金部材７１の表裏で貫通部を介した熱の移動を行うことが可能である。
【符号の説明】
【００６１】
１０  ターボ分子ポンプ（真空ポンプ）
１１  ポンプ本体
３１  電装ケース（制御装置）
３３  電源回路部（電装部品部）
３４  制御回路部（電装部品部）
３６  冷却ジャケット（冷却部）
３８  冷却管
３８ａ  冷却媒体流路
４０  鉛直部
４６  鉛直部の内側面（冷却面）
５１  回路基板
５５  露出部
６２  回路部品（発熱部品）
７２  スリット（貫通部）
７４  モールド樹脂（モールド部）
【図１】
2019143486.tif 000003
【図２】
2019143486.tif 000004